(57)【要約】【課題】コストアップと組立性の低下とを招くことなく、光源の取付精度の向上を図ることができるカメラ、及びその組立方法を提供する。【解決手段】デジタルカメラを組み立てる際には、まず、フロントケース２８に固定されたホルダ２４に、レンズ鏡筒１２を保持するレンズユニット２０とＡＦ補助光の光源であるＬＥＤ２２とを取り付ける。次に、ＬＥＤ２２に設けられた電極３３を回路基板２６に形成されたスルーホールに挿通しながら、回路基板２６をフロントケース２８に取り付ける。この際、電極３３は、回路基板２６に設けられたガイド部材５０によって、スルーホールに案内される。【選択図】図２
2008197372.tif 000002
【特許請求の範囲】
【請求項１】
被写体像を結像する撮影レンズと、
前記撮影レンズの光軸方向と略平行に形成された棒状の電極を複数有し、前記各電極を介して電圧が印加されることに応じて、前記光軸方向に光を照射する光源と、
前記各電極に対応した複数の接続孔を有し、前記各接続孔に前記各電極を挿通することによって前記光源と電気的に接続される回路基板と、
前記撮影レンズと前記光源とを保持する保持部材と、
前記光源と前記回路基板との間に位置し、前記光源と前記回路基板とを接続する際に、前記各電極を前記各接続孔に案内するガイド部材とを備えたことを特徴とするカメラ。
【請求項２】
前記ガイド部材は、ブロック状に形成され、前記回路基板に向かうに従って径が狭くなるテーパ状のガイド穴を前記各電極に対応して複数有していることを特徴とする請求項１記載のカメラ。
【請求項３】
前記各ガイド穴の最狭部の径が、前記各接続孔の径よりも狭いことを特徴とする請求項２記載のカメラ。
【請求項４】
前記ガイド部材は、前記回路基板と対向する面に凹部を有しており、
前記各ガイド穴は、前記凹部の底面に接続されるように形成されていることを特徴とする請求項２又は３記載のカメラ。
【請求項５】
前記ガイド部材は、前記底面をパーティングラインとして樹脂成形されることを特徴とする請求項４記載のカメラ。
【請求項６】
前記保持部材は、外装の一部を構成するフロントケースに取り付けられ、前記撮影レンズと前記光源とを前記フロントケースに対して位置決めすることを特徴とする請求項１から５のいずれか１項に記載のカメラ。
【請求項７】
被写体像を結像する撮影レンズと、
前記撮影レンズの光軸方向と略平行に形成された棒状の電極を複数有し、前記各電極を介して電圧が印加されることに応じて、前記光軸方向に光を照射する光源と、
前記各電極に対応した複数の接続孔を有し、前記各接続孔に前記各電極を挿通することによって前記光源と電気的に接続される回路基板と、
前記撮影レンズと前記光源とを保持する保持部材と、
前記光源と前記回路基板とを接続する際に、前記各電極を前記各接続孔に案内するガイド部材とを備えたカメラの組立方法において、
前記撮影レンズと前記光源とを前記保持部材に取り付けるステップと、
前記光源の前記各電極を前記ガイド部材で案内しながら前記各接続孔に挿通して前記光源と前記回路基板とを接続するステップとを有することを特徴とするカメラの組立方法。
【発明の詳細な説明】
【技術分野】
【０００１】
本発明は、撮影レンズの光軸方向に光を照射する光源を備えたカメラと、その組立方法とに関する。
【背景技術】
【０００２】
被写体像をＣＣＤイメージセンサなどの撮像素子で撮像してデジタルの画像データを取得するデジタルカメラが普及している。デジタルカメラの多くは、撮影レンズのフォーカスを自動的に調整するオートフォーカス機能を搭載している。デジタルカメラのオートフォーカスには、安価に構成できることから、画像データのコントラストを基に合焦位置を求める、いわゆるコントラスト検出方式が好ましく用いられている。
【０００３】
ところが、コントラスト検出方式のオートフォーカスには、被写体全体が暗い場合など、十分なコントラスト差が得られないとフォーカス調整が正常に行えなくなるという問題がある。これを防止するため、オートフォーカスを行う際に、被写体の輝度などに応じて補助光を照射することにより、被写体を照明するようにしたデジタルカメラが、例えば、特許文献１などによって知られている。
【特許文献１】特願平１０−６２６８０号公報
【発明の開示】
【発明が解決しようとする課題】
【０００４】
補助光の光源には、例えば、消費電力の低い発光ダイオード（ＬＥＤ）などが採用されている。こうした光源は、通常、ＣＣＤイメージセンサなどを制御する回路基板に実装された後、デジタルカメラのフロントケースに回路基板ごと取り付けられる構成になっている。しかしながら、光源を先に回路基板に取り付けてしまうと、光源とフロントケースとの位置合わせが難しくなり、フロントケースに形成された発光窓との位置がずれたり、補助光の光源の光軸と撮影レンズの光軸との向きがずれたりしてしまうことがある。
【０００５】
光源の位置ずれや光軸ずれは、補助光の光量を低下させ、オートフォーカスの調整精度に悪影響を与える。このため、特許文献１では、光源を保持する保持部材を別途設け、光源と回路基板とをフレキシブル配線基板などを介して接続するようにしている。このような構成にすると、フロントケースに対する位置決めの自由度が高まるので、光源の位置ずれや光軸ずれなどを抑えることができる。
【０００６】
ところが、上述のような構成では、保持部材やフレキシブル配線基板などの分だけコストアップになることが懸念される。また、光源を保持部材に取り付けるようにすると、組み立て時に撮影レンズとの光軸合わせを行わなければならないとともに、フレキシブル配線基板との配線作業なども加わるため、必ずしも組立性が良いとは言い難い。
【０００７】
また、解決策の一つとして、光源を先にフロントケースに取り付け、光源とフロントケースとの位置合わせを行ってから回路基板に実装することも考えられる。しかし、この場合には、回路基板に形成されたスルーホールに光源の電極を挿通して、回路基板の裏面で半田付けをしなければならないが、フロントケースに取り付けられた状態の光源の電極をスルーホールに通すのは非常に難しく、組立性が低下することは否めない。
【０００８】
本発明は、上記課題を鑑みてなされたものであって、コストアップと組立性の低下とを招くことなく、光源の取付精度の向上を図ることを目的とする。
【課題を解決するための手段】
【０００９】
上記課題を達成するため、本発明のカメラは、被写体像を結像する撮影レンズと、前記撮影レンズの光軸方向と略平行に形成された棒状の電極を複数有し、前記各電極を介して電圧が印加されることに応じて、前記光軸方向に光を照射する光源と、前記各電極に対応した複数の接続孔を有し、前記各接続孔に前記各電極を挿通することによって前記光源と電気的に接続される回路基板と、前記撮影レンズと前記光源とを保持する保持部材と、前記光源と前記回路基板との間に位置し、前記光源と前記回路基板とを接続する際に、前記各電極を前記各接続孔に案内するガイド部材とを備えたことを特徴とする。
【００１０】
なお、前記ガイド部材は、ブロック状に形成され、前記回路基板に向かうに従って径が狭くなるテーパ状のガイド穴を前記各電極に対応して複数有していることが好ましい。
【００１１】
また、前記各ガイド穴の最狭部の径は、前記各接続孔の径よりも狭いことが好ましい。
【００１２】
さらに、前記ガイド部材は、前記回路基板と対向する面に凹部を有し、前記各ガイド穴は、前記凹部の底面に接続されるように形成されていることが好ましい。
【００１３】
なお、前記ガイド部材は、前記底面をパーティングラインとして樹脂成形されることが好ましい。
【００１４】
また、前記保持部材は、外装の一部を構成するフロントケースに取り付けられ、前記撮影レンズと前記光源とを前記フロントケースに対して位置決めすることが好ましい。
【００１５】
さらに、本発明のカメラの組立方法は、被写体像を結像する撮影レンズと、前記撮影レンズの光軸方向と略平行に形成された棒状の電極を複数有し、前記各電極を介して電圧が印加されることに応じて、前記光軸方向に光を照射する光源と、前記各電極に対応した複数の接続孔を有し、前記各接続孔に前記各電極を挿通することによって前記光源と電気的に接続される回路基板と、前記撮影レンズと前記光源とを保持する保持部材と、前記光源と前記回路基板とを接続する際に、前記各電極を前記各接続孔に案内するガイド部材とを備えたカメラにおいて、前記撮影レンズと前記光源とを前記保持部材に取り付けるステップと、前記光源の前記各電極を前記ガイド部材で案内しながら前記各接続孔に挿通して前記光源と前記回路基板とを接続するステップとを有することを特徴とする。
【発明の効果】
【００１６】
本発明では、撮影レンズと光源とを同一の保持部材に取り付けるようにしたので、それぞれの位置や光軸にずれが生じることを適切に防止することができる。また、光源を回路基板に直接実装するようにしたので、コストアップを招く心配もない。さらに、各電極を各接続孔に挿通させる際に、ガイド部材によって各電極を各接続孔に案内するようにしたので、光源を保持部材などに先に取り付けた場合にも、組立性の低下を招く心配がない。
【発明を実施するための最良の形態】
【００１７】
図１は、デジタルカメラ（カメラ）１０の構成を概略的に示す斜視図である。デジタルカメラ１０の前面には、撮影レンズ１１を保持したレンズ鏡筒１２が設けられている。デジタルカメラ１０の上面には、デジタルカメラ１０の電源のＯＮ／ＯＦＦを切り替える電源スイッチ１３と、デジタルカメラ１０に撮影の実行を指示するレリーズボタン１４とが設けられている。
【００１８】
レリーズボタン１４は、２段階押しのスイッチになっている。レリーズボタン１４を軽く押圧（半押し）すると、自動露出調整（ＡＥ）や自動焦点調整（ＡＦ）などといった各種の撮影準備処理が開始される。この状態からさらにレリーズボタン１４を強く押し込む（全押し）と、撮影が実行され、撮影準備処理が施された１画面分の撮像信号が画像データに変換される。
【００１９】
また、デジタルカメラ１０の前面には、レンズ鏡筒１２の他に、ストロボ光を照射するためのストロボ発光窓１５と、ＡＦ補助光を照射するためのＡＦ補助光発光窓１６とが設けられている。デジタルカメラ１０は、画像データのコントラストの変化を基に合焦位置を求める、いわゆるコントラスト検出方式のＡＦ処理を行う。コントラスト検出方式のＡＦ処理の場合、被写体全体が暗くて十分なコントラスト差が得られないと、フォーカス調整が困難になってしまう。ＡＦ補助光発光窓１６から照射されるＡＦ補助光は、これを防止するためのものである。
【００２０】
デジタルカメラ１０は、例えば、被写体の輝度が所定値以下である際にＡＦ補助光を照射して被写体を照らすことにより、暗い撮影シーンにおいても適切にＡＦ処理が行われるようにする。なお、ＡＦ補助光発光窓１６は、例えば、フロントケース２８（図２参照）に開口を形成し、この開口に無色又は乳白色の樹脂材料からなる透光板を嵌め込むことによって構成される。
【００２１】
図２は、デジタルカメラ１０の内部構成を概略的に示す分解斜視図である。デジタルカメラ１０の内部には、レンズ鏡筒１２を保持するレンズユニット２０と、ＡＦ補助光の光源であるＬＥＤ２２と、レンズユニット２０とＬＥＤ２２とを保持するホルダ（保持部材）２４と、デジタルカメラ１０の各部を制御する種々の回路が構成された回路基板２６とが設けられている。
【００２２】
ホルダ２４は、図示を省略したリアケースとともにデジタルカメラ１０の外装を構成するフロントケース２８に、例えば、接着やネジ止めなどによって固定される。ホルダ２４は、レンズユニット２０を保持した際に、フロントケース２８に形成された開口２８ａとレンズ鏡筒１２とを対面させる。また、ホルダ２４は、ＬＥＤ２２を保持した際に、ＡＦ補助光発光窓１６とＬＥＤ２２とを対面させる。このように、ホルダ２４は、フロントケース２８に対するレンズユニット２０とＬＥＤ２２との位置決めを行う。
【００２３】
また、ホルダ２４は、撮影レンズ１１の光軸とＬＥＤ２２の光軸とが略平行になるように、レンズユニット２０とＬＥＤ２２とを保持する。このように、ホルダ２４は、レンズユニット２０とＬＥＤ２２とのフロントケース２８に対する位置を決めるとともに、それぞれの光軸を合わせる。これにより、撮影レンズ１１の光軸方向にＡＦ補助光が照射される。なお、ホルダ２４には、高精度の成形が可能な金属材料や樹脂材料（硬質プラスチック）などを用いることが好ましい。
【００２４】
レンズユニット２０には、ＣＣＤイメージセンサ３１が設けられている。レンズユニット２０は、レンズ鏡筒１２とＣＣＤイメージセンサ３１とを一体に保持することにより、これらの位置や光軸にずれが生じることを防止する。また、レンズユニット２０は、図示を省略したフレキシブルプリント配線基板を介して回路基板２６と電気的に接続される。レンズユニット２０は、回路基板２６からの制御信号に応じて、レンズ鏡筒１２の沈胴／繰り出しや、ＣＣＤイメージセンサ３１の駆動、及び画像データの出力などを行う。なお、図１は、レンズ鏡筒１２が繰り出された状態を示し、図２は、レンズ鏡筒１２が沈胴した状態を示している。
【００２５】
また、レンズユニット２０の外周には、撮影レンズ１１の光軸に対して放射状に突出するように形成された複数のフランジ３０が設けられている。各フランジ３０のそれぞれには、貫通孔３０ａが設けられている。レンズユニット２０は、これらの各フランジ３０を介してホルダ２４に取り付けられる。
【００２６】
ＬＥＤ２２は、発光部３２と、２本の電極３３とで構成されている。発光部３２は、円柱の先端を丸めた略砲弾型に形成されている。各電極３３は、発光部３２の後端面から突出した棒状に形成され、撮影レンズ１１及び発光部３２の光軸と略平行になっている。また、各電極３３は、発光部３２内に封入された半導体素子に接続されており、一方がカソード、他方がアノードとなる。ＬＥＤ２２は、各電極３３を介して回路基板２６と電気的に接続される。そして、ＬＥＤ２２は、回路基板２６から印加される電圧に応じて発光部３２を点灯させることにより、ＡＦ補助光を照射する。
【００２７】
ホルダ２４は、平板を略リング状に形成した本体部３５と、レンズユニット２０を保持する複数のフランジ３６と、ＬＥＤ２２を保持する円筒部３７とからなる。各フランジ３６は、本体部３５の中心に向けて突出するように形成されている。また、各フランジ３６は、レンズユニット２０に形成された各フランジ３０のそれぞれに数及び位置が対応している。さらに、各フランジ３６のそれぞれには、貫通して形成された雌ネジ３６ａが設けられている。これにより、レンズユニット２０は、レンズ鏡筒１２を本体部３５に挿通するようにして各フランジ３０、３６の位置を合わせ、レンズユニット２０側からネジ止めすることによって、ホルダ２４に取り付けられる。
【００２８】
円筒部３７は、本体部３５に対して略垂直に突出するように形成されている。また、円筒部３７は、その内径がＬＥＤ２２の発光部３２の外径と一致するように形成されている。ＬＥＤ２２は、発光部３２を円筒部３７に嵌入させることによって、ホルダ２４に取り付けられる。なお、ＬＥＤ２２は、円筒部３７に嵌入させた後、接着などによってホルダ２４に固定するようにしてもよい。
【００２９】
各フランジ３０、３６は、撮影レンズ１１の光軸と本体部３５とが略直交するようにレンズユニット２０を保持する。また、前述のように、円筒部３７は、本体部３５に対して略垂直に形成されているので、これに嵌入されるＬＥＤ２２は、本体部３５と略直交した状態で保持される。これにより、ホルダ２４は、撮影レンズ１１の光軸とＬＥＤ２２の光軸とが略平行になるように、レンズユニット２０とＬＥＤ２２とを保持する。
【００３０】
回路基板２６は、例えば、ネジ止めや嵌め込みなどによって、撮影レンズ１１及びＬＥＤ２２の光軸と略直交するようにフロントケース２８に取り付けられる。前述のように、回路基板２６は、レンズユニット２０、ＬＥＤ２２のそれぞれと電気的に接続され、これらの動作を制御する。図３（ａ）に示すように、回路基板２６には、ＬＥＤ２２の各電極３３のそれぞれに対応したスルーホール（接続孔）４０が形成されている。そして、ＬＥＤ２２は、図３（ｂ）に示すように、各電極３３を各スルーホール４０に挿通し、回路基板２６の裏面側で半田付けすることにより、半田４２を介して回路基板２６と電気的に接続される。なお、周知のように、各スルーホール４０は、回路基板２６の内部配線パターンに接続されており、各スルーホール４０及び各半田４２を介してＬＥＤ２２と、回路基板２６に構成された各種の回路とが接触する。
【００３１】
また、図２及び図３に示すように、回路基板２６には、ＬＥＤ２２と回路基板２６とを接続する際に、各電極３３を各スルーホール４０に案内するガイド部材５０が設けられている。ガイド部材５０は、略直方体のブロック状に形成され、各スルーホール４０のそれぞれに対応したガイド穴５２が設けられている。各ガイド穴５２は、回路基板２６に向かうに従って径が狭くなるテーパ状に形成されている。また、各ガイド穴５２は、最狭部の径ｄ１がスルーホール４０の径ｄ２よりも狭くなる（すなわち、ｄ１＜ｄ２）ように形成されている。このように構成すると、電極３３をスルーホール４０に挿通する際に、電極３３の先端がスルーホール４０の縁部に引っ掛からなくなるので、電極３３をスムーズにスルーホール４０に案内することができる。
【００３２】
次に、図４に示すフローチャートを参照しながら、上記構成によるデジタルカメラ１０の作用について説明する。デジタルカメラ１０を組み立てる際には、まず、ネジ止めや接着などによってホルダ２４をフロントケース２８に固定する。ホルダ２４を固定したら、そのホルダ２４にレンズユニット２０を取り付ける。レンズユニット２０の取り付けは、各フランジ３０、３６の位置を合わせ、レンズユニット２０側からネジ止めすることによって行われる。ホルダ２４に取り付けられたレンズユニット２０は、開口２８ａと対面し、開口２８ａからレンズ鏡筒１２を露呈させる。このように、レンズユニット２０をホルダ２４に取り付けることによって、レンズユニット２０のフロントケース２８に対する位置が合わせられる。
【００３３】
レンズユニット２０をホルダ２４に取り付けたら、発光部３２を円筒部３７に嵌入させて、ＬＥＤ２２をホルダ２４に取り付ける。ホルダ２４に取り付けられたＬＥＤ２２は、ＡＦ補助光発光窓１６と対面し、フロントケース２８に対する位置が合わせられる。また、発光部３２を嵌入させる際、各電極３３が対応する各スルーホール４０に向かうように、ＬＥＤ２２の光軸周りの回転の向きを調整する。なお、例えば、ＬＥＤ２２と円筒部３７とに直進キーを設けるなどして、発光部３２の嵌入と同時に光軸周りの回転の向きが一義的に決められるようにしてもよい。
【００３４】
レンズユニット２０とＬＥＤ２２とをホルダ２４に取り付けたら、フレキシブルプリント配線基板を介してレンズユニット２０と回路基板２６とを電気的に接続する。なお、レンズユニット２０及び回路基板２６とフレキシブルプリント配線基板とは、半田付けによって接続してもよいし、コネクタなどを介して接続してもよい。また、レンズユニット２０と回路基板２６との接続は、フレキシブルプリント配線基板に限ることなく、例えば、導線などを用いるようにしてもよい。
【００３５】
レンズユニット２０と回路基板２６とを接続したら、ＬＥＤ２２の各電極３３を回路基板２６の各スルーホール４０に挿通させながら、ネジ止めなどによって回路基板２６をフロントケース２８に取り付ける。各電極３３を各スルーホール４０に挿通させる際、各電極３３は、ガイド部材５０に形成された各ガイド穴５２によって各スルーホール４０に案内される。これにより、ＬＥＤ２２を先にフロントケース２８に位置決めしても、各電極３３を容易に各スルーホール４０に挿通させることができる。また、各ガイド穴５２の最狭部の径ｄ１を各スルーホール４０の径ｄ２よりも狭くしたので、電極３３をスルーホール４０に挿通させる際に、電極３３の先端がスルーホール４０の縁部に引っ掛かることもない。
【００３６】
回路基板２６をフロントケース２８に取り付け、各電極３３を各スルーホール４０に挿通させたら、回路基板２６の裏面側から各電極３３を半田付けし、半田４２を介してＬＥＤ２２と回路基板２６とを電気的に接続させる（図３（ｂ）参照）。以上により、レンズユニット２０とＬＥＤ２２とがフロントケース２８に位置決めされ、かつ回路基板２６と電気的に接続された状態で組み立てられる。
【００３７】
このように、本実施形態のデジタルカメラ１０によれば、レンズユニット１０とＬＥＤ２２とをフロントケース２８に固定される同一のホルダ２４に取り付けるようにしたので、フロントケース２８に対する位置やそれぞれの光軸にずれが生じることを適切に防止することができる。また、レンズユニット２０などを駆動する回路基板２６にＬＥＤ２２を直接実装するようにしたので、コストアップを招く心配もない。さらに、各電極３３を各スルーホール４０に挿通させる際に、ガイド部材５０によって各電極３３を各スルーホール４０に案内するようにしたので、組立性が低下することもない。
【００３８】
なお、上記実施形態では、レンズユニット２０を取り付けた後にＬＥＤ２２をホルダ２４に取り付けるようにしたが、ホルダ２４に対するレンズユニット２０とＬＥＤ２２との取り付け順序は、これに限ることなく、ＬＥＤ２２を先に取り付けるようにしてもよい。また、上記実施形態では、レンズユニット２０と回路基板２６とを電気的に接続した後に回路基板２６をフロントケース２８に取り付けるようにしたが、これに限ることなく、回路基板２６をフロントケース２８に取り付けた後にレンズユニット２０と回路基板２６とを電気的に接続するようにしてもよい。
【００３９】
さらに、上記実施形態では、上面から底面まで連続したガイド穴５２を有するガイド部材５０を示したが、これに限ることなく、例えば、図５に示すガイド部材６０のように構成してもよい。図５のガイド部材６０には、回路基板２６と対向する面に２つの凹部６２が形成されている。各凹部６２は、各スルーホール４０に対応する位置に形成されており、各凹部６２の底面６２ａに接続されるように各ガイド穴６４が形成されている。各ガイド穴６４は、前述のガイド部材５０と同様に、最狭部の径ｄ１がスルーホール４０の径ｄ２よりも狭くなるようにテーパ状に形成されている。これにより、前述のガイド部材５０と同様に、電極３３をスムーズにスルーホール４０に案内することができる。
【００４０】
加工精度や生産性などを考慮すると、ガイド部材５０、６０は、樹脂材料を用いて金型成形することが好ましい。この際、ガイド部材５０のような形状であると、ガイド穴５２を形成するためのピンが細長くなるため、金型の耐久性が悪い。一方、ガイド部材６０では、底面６２ａをパーティングライン（金型同士の合わせ面）とし、一方の金型で凹部６２を形成し、他方の金型でガイド穴６４を形成することで、ガイド穴６４を形成するためのピンを短くすることができる。
【００４１】
このように、ガイド部材６０のような形状にすることで、金型の耐久性の向上を図ることができる。また、ピンが短い方が加工もし易いので、金型自体の製造コストの低減も図ることができる。さらには、ピンを短くすることで、成形時のピンの変形を抑えることができるので、ガイド穴６４の位置精度の向上も図ることができる。なお、図５では、各ガイド穴６４に合わせて２つの凹部６２を形成するようにしているが、これに限ることなく、例えば、各ガイド穴６４のそれぞれに接続される１つの凹部６２を形成するようにしてもよい。
【００４２】
なお、上記実施形態では、ＡＦ補助光を照射する光源を例に説明したが、これに限ることなく、光源は、例えば、セルフタイマーの報知を行うものなどであってもよい。また、上記実施形態では、光源としてＬＥＤ２２を示したが、これに限ることなく、例えば、レーザダイオードや電球などであってもよい。さらに、上記実施形態では、電極３３が２本のＬＥＤ２２を示したが、電極の数は２本に限ることなく、２本以上であってもよい。例えば、ＲＧＢ３色の発光素子を１パッケージに収めた３色ＬＥＤでは、ＲＧＢのそれぞれに対応して設けられた３本のカソードと、１本の共通アノードとの計４本で構成されている。
【００４３】
なお、上記実施形態では、保持部材としてホルダ２４を示したが、これに限ることなく、例えば、フロントケース２８とホルダ２４とを一体に成形し、フロントケース２８自体を保持部材としてもよい。また、上記実施形態では、接続孔として回路基板２６自体に形成されたスルーホール４０を示したが、接続孔は、これに限ることなく、例えば、回路基板上に実装されたコネクタのソケット穴などであってもよい。また、上記実施形態では、ブロック状のガイド部材５０、６０を示したが、ガイド部材は、これに限ることなく、例えば、テーパ筒状（いわゆる、ラッパ型）に形成されたものなどであってもよい。さらに、上記実施形態では、デジタルカメラ１０に本発明を適用した例を示したが、本発明は、これに限ることなく、例えば、写真フイルムに被写体像を露光記録する、いわゆる銀塩カメラに適用してもよい。
【図面の簡単な説明】
【００４４】
【図１】デジタルカメラの構成を概略的に示す斜視図である。
【図２】デジタルカメラの内部構成を概略的に示す分解斜視図である。
【図３】ガイド部材の構成を概略的に示す説明図である。
【図４】デジタルカメラの組立手順を概略的に示すフローチャートである。
【図５】凹部を形成したガイド部材の構成を概略的に示す説明図である。
【符号の説明】
【００４５】
１０  デジタルカメラ（カメラ）
１１  撮影レンズ
１６  ＡＦ補助光発光窓
２０  レンズユニット
２２  ＬＥＤ（光源）
２４  ホルダ（保持部材）
２６  回路基板
２８  フロントケース
３３  電極
４０  スルーホール（接続孔）
５０、６０  ガイド部材
５２、６４  ガイド穴
６２  凹部
６２ａ  底面
【図１】
2008197372.tif 000003
【図２】
2008197372.tif 000004
【図３】
2008197372.tif 000005
【図４】
2008197372.tif 000006
【図５】
2008197372.tif 000007